(57)【要約】【課題】被撮像者の意思に反してＷｅｂサーバに記録されてインターネット上に掲載される個人肖像画像を消去できるＷｅｂサーバ掲載個人肖像画像消去サービスシステムと消去方法を提供する。【解決手段】Ｗｅｂサーバ掲載個人肖像画像消去手段は、消去対象画像受付部１２２、Ｗｅｂサーバに掲載されている個人肖像画像を逐次検索してその画像を入力するＷｅｂサーバ検索部１２４、入力した検索画像の特徴点を消去依頼を受けた個人肖像映像の画像の特徴点と比較照合し、所定の基準を超えて特徴点が一致すれば両画像は同一であると判断する両画像特徴点照合部１２６、一致した検索画像を記録するＷｅｂサーバに所定の手続で画像記録消去依頼を送出する画像記録消去依頼発行部１２７を有し、画像記録消去依頼を受けたＷｅｂサーバが消去を実行する。【選択図】      図２
2004326535.tif 000002
【特許請求の範囲】
【請求項１】
ユーザ端末と、Ｗｅｂサーバを含むサーバとがインターネットで接続されて構成される情報システムにおいて、前記Ｗｅｂサーバ上に掲載されている所定の個人肖像画像の記録を消去するためのＷｅｂサーバ掲載個人肖像画像消去サービスシステムであって、
前記ユーザ端末を前記インターネットに接続するインターネットサービスプロバイダに、Ｗｅｂサーバ掲載個人肖像画像消去手段が設けられており、
該Ｗｅｂサーバ掲載個人肖像画像消去手段は、消去対象画像受付部、Ｗｅｂサーバ検索部、両画像特徴点照合部、画像記録消去依頼発行部を有し、
前記消去対象画像受付部は、前記ユーザ端末からのデジタル化された個人肖像映像の画像を添えた画像消去依頼を受付け、ユーザと画像消去サービス契約を締結し、
前記Ｗｅｂサーバ検索部は、前記インターネットに接続されている前記Ｗｅｂサーバに掲載されている個人肖像画像を逐次検索してその画像を入力し、
前記両画像特徴点照合部は、入力した検索画像の特徴点を前記個人肖像映像の画像の特徴点と比較照合し、所定の基準を超えて特徴点が一致すれば両画像は同一であると判断し、
前記画像記録消去依頼発行部は、一致した検索画像を記録する前記Ｗｅｂサーバに所定の手続で画像記録消去依頼を送出し、
画像記録消去依頼を受けた前記Ｗｅｂサーバが消去を実行することを特徴とするＷｅｂサーバ掲載個人肖像画像消去サービスシステム。
【請求項２】
前記Ｗｅｂサーバ掲載個人肖像画像消去手段が設けられたインターネットサービスプロバイダは、予め前記Ｗｅｂサーバとの間で該インターネットサービスプロバイダの指示により該Ｗｅｂサーバに掲載された個人肖像画像を消去する契約をと締結している、請求項１に記載のＷｅｂサーバ掲載個人肖像画像消去サービスシステム。
【請求項３】
前記消去対象画像受付部は、さらに個人肖像映像の画像から比較のための特徴点を抽出し、そのデータを消去対象画像特徴点データ格納部に格納し、前記Ｗｅｂサーバ検索部は、検索した個人肖像画像の特徴点を抽出し、前記両画像特徴点照合部は、検索した個人肖像画像の特徴点と消去対象画像の特徴点とを比較照合する、請求項１に記載のＷｅｂサーバ掲載個人肖像画像消去サービスシステム。
【請求項４】
前記画像記録消去依頼発行部は、さらに検索画像を記録する前記Ｗｅｂサーバから消去実行の返信を受けると、画像消去サービスを締結したユーザの前記ユーザ端末に消去結果を出力する、請求項１に記載のＷｅｂサーバ掲載個人肖像画像消去サービスシステム。
【請求項５】
前記インターネットサービスプロバイダは、前記ユーザと締結した画像消去サービスの期間が満了するまで所定の間隔で前記Ｗｅｂサーバの検索を実行する、請求項１に記載のＷｅｂサーバ掲載個人肖像画像消去サービスシステム。
【請求項６】
ユーザ端末と、Ｗｅｂサーバを含むサーバとがインターネットで接続されている情報システムにおいて、前記Ｗｅｂサーバ上に掲載されている所定の個人肖像画像の記録を消去するＷｅｂサーバ掲載個人肖像画像消去方法であって、
Ｗｅｂサーバ掲載個人肖像画像消去手段が設けられたインターネットサービスプロバイダは、所定の基準に基づいた個人肖像画像のＷｅｂサーバの記録からの消去を定めた特定画像消去契約を、対象とする複数の前記Ｗｅｂサーバとの間で締結し、
個人肖像画像のＷｅｂサーバの記録からの消去を希望するユーザは個人肖像映像を撮影してユーザ端末上で画像認識を行ってデジタル化し、個人肖像画像消去サービス可能な前記インターネットサービスプロバイダに画像消去依頼を申し込んで消去サービス契約を締結し、
消去サービス契約を締結した前記インターネットサービスプロバイダは、入力した個人肖像画像から比較のための特徴点を抽出して、消去対象画像特徴点データとして格納し、
前記インターネットサービスプロバイダはインターネット上でＷｅｂサーバに掲載された個人肖像画像を逐次検索して、入力した検索画像から個人肖像画像と比較のための特徴点を抽出し、抽出した特徴点データを読み出した消去対象の個人肖像画像の特徴点データと比較照合し、所定の基準を超えて特徴点が一致すれば両画像は同一であると判断して、検索画像を記録するＷｅｂサーバに所定の手続で画像記録消去依頼を送出し、
前記Ｗｅｂサーバは画像記録消去依頼を受理すると、消去依頼の対象の画像の記録からの消去を実行するステップを有することを特徴とするＷｅｂサーバ掲載個人肖像画像消去方法。
【発明の詳細な説明】
【０００１】
【発明の属する技術分野】
本発明はＷｅｂサーバ上に掲載された個人肖像画像消去サービスシステムと消去方法に関する。
【０００２】
【従来の技術】
インターネットを利用した情報端末間の情報交換は近年急速に増加し、携帯電話端末のインターネットとの接続が可能になったことから携帯電話端末間や携帯電話端末とパソコン間などでの電子メールを利用した交流やＷｅｂサーバのネットニュースの閲覧や書込みまでそのサービスは拡大し、さらに通信回線の大容量高速化に伴って画像情報の伝送も拡大している。一方デジタルカメラの進歩も著しく、小型化されたデジタルカメラは携帯電話端末に内装されるようにまでなり、カメラ付き携帯電話の普及によって撮像が容易になったことから、より多くのデジタル撮映画像がインターネット上に掲載可能になり、撮像画面の伝送も加速度的に増加している。
【０００３】
【特許文献１】
特開２００２−１１８８７７号公報
【０００４】
【発明が解決しようとする課題】
このような傾向に伴ってインターネットを流れる撮像画面や盗撮した個人肖像画像を悪用した個人の肖像権の侵害や、さらにその画像を利用したいたずらやいじめの目的での使用なども増加して社会問題化している。
【０００５】
しかし、インターネットの発展の基盤となった情報の開放性の面から、このような問題性のある利用についても現在はこれを規制することが困難である。例えば特開２００２−１１８８７７号公報には、不正に使用されている移動端末が記憶・保持している情報に対して通信サービスを提供している移動通信システム自体で消去可能な方法と装置が開示されているが、Ｗｅｂサーバに記憶されてインターネット上を流通する撮像画面の消去には触れていない。
【０００６】
本発明の目的は、被撮像者の意思に反してＷｅｂサーバに記録されてインターネット上に掲載される個人肖像画像を消去できるＷｅｂサーバ掲載個人肖像画像消去サービスシステムと消去方法を提供することにある。
【０００７】
【課題を解決するための手段】
本発明の個人肖像画像のＷｅｂサーバ上の掲載消去サービスシステムは、
ユーザ端末と、Ｗｅｂサーバを含むサーバとがインターネットで接続されて構成される情報システムにおいて、Ｗｅｂサーバ上に掲載されている所定の個人肖像画像の記録を消去するためのＷｅｂサーバ掲載個人肖像画像消去サービスシステムであって、ユーザ端末をインターネットに接続するインターネットサービスプロバイダに、Ｗｅｂサーバ掲載個人肖像画像消去手段が設けられている。そのＷｅｂサーバ掲載個人肖像画像消去手段は、消去対象画像受付部、Ｗｅｂサーバ検索部、両画像特徴点照合部、画像記録消去依頼発行部を有し、消去対象画像受付部は、ユーザ端末からのデジタル化された個人肖像映像の画像を添えた画像消去依頼を受付け、ユーザと画像消去サービス契約を締結し、Ｗｅｂサーバ検索部は、インターネットに接続されているＷｅｂサーバに掲載されている個人肖像画像を逐次検索してその画像を入力し、両画像特徴点照合部は、入力した検索画像の特徴点を個人肖像映像の画像の特徴点と比較照合し、所定の基準を超えて特徴点が一致すれば両画像は同一であると判断し、画像記録消去依頼発行部は、一致した検索画像を記録するＷｅｂサーバに所定の手続で画像記録消去依頼を送出し、画像記録消去依頼を受けたＷｅｂサーバが消去を実行することを特徴とする。
【０００８】
Ｗｅｂサーバ掲載個人肖像画像消去手段が設けられたインターネットサービスプロバイダは、予めＷｅｂサーバとの間でそのインターネットサービスプロバイダの指示によりそのＷｅｂサーバに掲載された個人肖像画像を消去する契約をと締結してもよく、消去対象画像受付部は、さらに個人肖像映像の画像から比較のための特徴点を抽出し、そのデータを消去対象画像特徴点データ格納部に格納し、Ｗｅｂサーバ検索部は、検索した個人肖像画像の特徴点を抽出し、両画像特徴点照合部は、検索した個人肖像画像の特徴点と消去対象画像の特徴点とを比較照合してもよい。
【０００９】
また、画像記録消去依頼発行部は、さらに検索画像を記録するＷｅｂサーバから消去実行の返信を受けると、画像消去サービスを締結したユーザのユーザ端末に消去結果を出力してもよく、インターネットサービスプロバイダは、ユーザと締結した画像消去サービスの期間が満了するまで所定の間隔でＷｅｂサーバの検索を実行してもよい。
【００１０】
本発明の個人肖像画像のＷｅｂサーバ上の掲載消去方法は、
ユーザ端末と、Ｗｅｂサーバを含むサーバとがインターネットで接続されている情報システムにおいて、Ｗｅｂサーバ上に掲載されている所定の個人肖像画像の記録を消去するＷｅｂサーバ掲載個人肖像画像消去方法であって、Ｗｅｂサーバ掲載個人肖像画像消去手段が設けられたインターネットサービスプロバイダは、所定の基準に基づいた個人肖像画像のＷｅｂサーバの記録からの消去を定めた特定画像消去契約を、対象とする複数のＷｅｂサーバとの間で締結し、個人肖像画像のＷｅｂサーバの記録からの消去を希望するユーザは個人肖像映像を撮影してユーザ端末上で画像認識を行ってデジタル化し、個人肖像画像消去サービス可能なインターネットサービスプロバイダに画像消去依頼を申し込んで消去サービス契約を締結し、消去サービス契約を締結したインターネットサービスプロバイダは、入力した個人肖像画像から比較のための特徴点を抽出して、消去対象画像特徴点データとして格納し、インターネットサービスプロバイダはインターネット上でＷｅｂサーバに掲載された個人肖像画像を逐次検索して、入力した検索画像から個人肖像画像と比較のための特徴点を抽出し、抽出した特徴点データを読み出した消去対象の個人肖像画像の特徴点データと比較照合し、所定の基準を超えて特徴点が一致すれば両画像は同一であると判断して、検索画像を記録するＷｅｂサーバに所定の手続で画像記録消去依頼を送出し、Ｗｅｂサーバは画像記録消去依頼を受理すると、消去依頼の対象の画像の記録からの消去を実行するステップを有することを特徴とする。
【００１１】
個人肖像画像消去サービス機能を有するインターネットサービスプロバイダがユーザ端末から依頼を受けた個人肖像画像と同一の画像をインターネット上で検索してその画像を記録するＷｅｂサーバにその記録の消去を実行させるので、無許可で掲載された個人の肖像を、特定のサイトあるいは全体から消去することが可能となり、肖像権の乱用を防ぐことができる。
【００１２】
【発明の実施の形態】
次に、本発明の実施の形態について図面を参照して説明する。図１は本発明の実施の形態が適用されるコンピュータネットワークであるインターネットを用いた情報システムの構成を示す模式的ブロック構成図である。
【００１３】
情報システム１は、Ｗｅｂサーバ２０、メールサーバ３０、その他のサーバ４０、インターネットサービスプロバイダ（ＩＳＰ）５０、本願発明の特徴である個人肖像画像消去サービス可能なインターネットサービスプロバイダ５１、ユーザ端末６０、ユーザ携帯端末７０、カメラ付ユーザ携帯端末７１、これらを接続するネットワーク１１から構成されるインターネット１０を備えている。図１では個々の機器は模式的に１個として表現されているが実際は複数の機器で構成されている。
【００１４】
例えば、カメラ付ユーザ携帯端末７１で撮像された個人肖像画像は、カメラ付ユーザ携帯端末７１からインターネットサービスプロバイダ５０およびＷｅｂサーバ２０等を介しインターネット１０を経由して所望のユーザ端末６０やユーザ携帯端末７０に伝送される。この場合画像の情報がカメラ付ユーザ携帯端末７１やＷｅｂサーバ２０あるいは受信先の端末に記憶されたままとなっている場合があり、そこにアクセスした他のユーザ端末６０により複写されて他のＷｅｂサーバ２０に保存され個人の肖像権が侵害されたり、あるいは盗撮された個人肖像の画像が掲載されて個人の肖像権が侵害されたり、さらにその画像をいたずらやいじめの目的での使用されたりすることがある。
【００１５】
本発明の実施の形態のＷｅｂサーバ掲載個人肖像画像消去サービスシステムでは、情報システム１のインターネット１０とユーザ端末６０あるいはユーザ携帯端末７０との間にあって、両者を中継して接続を行うインターネットサービスプロバイダ５０に個人肖像画像消去サービス可能なインターネットサービスプロバイダ５１が含まれている。
【００１６】
個人肖像画像消去サービス可能なインターネットサービスプロバイダ５１のサーバには、インターネット１０で接続されたＷｅｂサーバ２０に掲載された個人肖像画像に対応するＷｅｂサーバ２０における記憶部に格納された画像の記録を消去するための、接続先画像情報消去手段が設けられている。
【００１７】
図２は本発明の実施の形態のＷｅｂサーバ掲載個人肖像画像消去サービスシステムの個人肖像画像消去サービス可能なインターネットサービスプロバイダ５１の模式的ブロック構成図である。本実施の形態では、個人肖像画像消去サービス可能なインターネットサービスプロバイダ５１は、ユーザ端末６０等からインターネット１０への接続要求を受けて所望のインターネット１０のネットワーク１１に接続する通常のインターネットサービスプロバイダとしての機能の他に、インターネット１０に接続している予め特定画像消去契約を結んだＷｅｂサーバ２０に記憶された特定画像を消去する機能を有する。
【００１８】
個人肖像画像消去サービス可能なインターネットサービスプロバイダ５１はインターネット１０のネットワーク１１を介してインターネット１０上のＷｅｂサーバ２０、メールサーバ３０、その他のサーバ４０および他のインターネットサービスプロバイダ５０と接続されるとともに、特定のユーザ端末６０、ユーザ携帯端末７０と接続されている。インターネットサービスプロバイダ５１は入力部１１０、データ処理装置１２０、記憶部１４０、出力部１６０を備え、入力部１１０にはネットワーク１１が接続されるとともにキーボードなどのユーザ入力装置１１１が接続され、データ処理装置１２０は通常のサービスプロバイダとしての接続サービスを実行する接続サービス処理実行部１３０のほかに、中央処理部１２１、消去対象画像受付部１２２、画像特徴点抽出部１２３、Ｗｅｂサーバ検索部１２４、検索画像特徴点抽出部１２５、両画像特徴点照合部１２６、画像記録消去依頼発行部１２７、消去結果受理部１２８、消去結果連絡部１２９を有し、記憶部１４０は通常のサービスプロバイダとしての接続サービスを実行するために必要な接続サービス関連データ格納部１５０のほかに、Ｗｅｂサーバアドレス格納部１４１、消去対象画像格納部１４２、消去対象画像特徴点データ格納部１４３、記録消去依頼画像データ格納部１４４、記録消去結果格納部１４５を有し、出力部１６０はネットワーク１１に接続されるとともに画像表示部１６１に接続されている。
【００１９】
消去対象画像受付部１２２は、ユーザ端末６０あるいはユーザ携帯端末７０からのデジタル化された個人肖像画像を添えた画像消去依頼を受付け、ユーザと画像消去サービス契約を締結し、個人肖像画像を消去対象画像格納部１４２に格納するとともに画像特徴点抽出部１２３に出力する。画像特徴点抽出部１２３は入力した個人肖像画像から比較のための特徴点を抽出し、そのデータを消去対象画像特徴点データ格納部１４３に格納する。
【００２０】
Ｗｅｂサーバ検索部１２４は、インターネット１０に接続されているＷｅｂサーバ２０に掲載されている個人肖像画像を逐次検索してその画像を検索画像特徴点抽出部１２５に出力する。検索画像特徴点抽出部１２５は入力した検索画像から消去依頼を受けた個人肖像画像と比較のための特徴点を抽出し、そのデータを両画像特徴点照合部１２６に出力する。
【００２１】
両画像特徴点照合部１２６は、入力した検索画像特徴点を消去対象画像特徴点データ格納部１４３から読み出した消去依頼を受けた個人肖像画像の特徴点と比較照合し、所定の基準を超えて特徴点が一致すれば両画像は同一であると判断して結果を画像記録消去依頼発行部１２７に出力する。
【００２２】
画像記録消去依頼発行部１２７は、検索画像を記録するＷｅｂサーバ２０のアドレスをＷｅｂサーバアドレス格納部１４１から読み出して所定の手続で画像記録消去依頼をその検索画像を記録するＷｅｂサーバ２０に送出するとともに、記録消去依頼画像データを記録消去依頼画像データ格納部１４４に格納する。検索画像を記録するＷｅｂサーバ２０から対象画像消去実行の返信を受けると、画像消去サービスを締結したユーザのユーザ端末６０あるいはユーザ携帯端末７０に消去結果を出力するとともに記録消去結果格納部１４５にその結果を格納する。
【００２３】
次に本発明の実施の形態の個人肖像画像のＷｅｂサーバ上の掲載消去方法の処理の流れについて図１〜図３を参照して説明する。図３は本発明の実施の形態の個人肖像画像のＷｅｂサーバ上の掲載消去方法のフローチャートである。
【００２４】
インターネットサービスプロバイダ５１は、所定の基準に基づいて個人肖像画像のＷｅｂサーバ２０からの消去を定めた特定画像消去契約を、対象とする複数のＷｅｂサーバ２０に申し込んで（ステップＢ１）、契約を締結する（ステップＣ１）。
【００２５】
個人肖像画像のＷｅｂサーバの記録からの消去を希望するユーザは個人肖像映像を撮影し（ステップＡ１）、ユーザ端末６０あるいは、ユーザ携帯端末７０上で画像認識を行ってデジタル化し（ステップＡ２）、個人肖像画像消去サービス可能なインターネットサービスプロバイダ５１に画像消去依頼を申し込み（ステップＡ３）、インターネットサービスプロバイダ５１は消去依頼を受理すると（ステップＢ２）、ユーザとの間で消去サービス契約を締結する（ステップＢ３、Ａ４）。この場合個人肖像映像は２次元的に撮影された映像でもよいが近年技術的に開発が進んでいる３次元映像であればより望ましい。これによって、色々の方向から撮影された個人肖像画像との照合が可能になる。
【００２６】
消去サービス契約を締結したインターネットサービスプロバイダ５１は、入力した個人肖像画像から比較のための特徴点を抽出し（ステップＢ４）、消去対象画像特徴点データとして格納する（ステップＢ５）。
【００２７】
インターネットサービスプロバイダ５１はインターネット１０上でＷｅｂサーバ２０に掲載された個人肖像画像を逐次検索して（ステップＢ６、Ｃ２）、入力した検索画像から消去依頼された個人肖像映像と比較のための特徴点を抽出し（ステップＢ７）、抽出した特徴点データと読み出した消去依頼された個人肖像画像の特徴点データと比較照合し（ステップＢ８）、特徴点が一致しない場合は（ステップＢ８Ｎ）、ステップＢ６に戻って検索を続け、所定の基準を超えて特徴点が一致すれば両画像は同一であると判断し（ステップＢ８Ｙ）、検索画像を掲載するＷｅｂサーバ２０のアドレスを読み出して（ステップＢ９）所定の手続で画像記録消去依頼をその検索画像を記録するＷｅｂサーバ２０に送出する（ステップＢ１０）。
【００２８】
Ｗｅｂサーバ２０は画像記録消去依頼を受理すると（ステップＣ３）、消去依頼の対象の画像の消去を実行し（ステップＣ４）、消去実行をインターネットサービスプロバイダ５１に通知する（ステップＣ５）。インターネットサービスプロバイダ５１は消去を確認すると（ステップＢ１１）、ユーザ端末６０に消去実行を通知して（ステップＢ１２、Ａ５）、ステップＢ５に戻り、個人肖像画像検索が一巡するまで繰り返す。インターネットサービスプロバイダ５１は消去サービス契約の期間中所定の間隔で個人肖像画像検索を繰り返す。
【００２９】
【発明の効果】
以上説明したように本発明は、ユーザ端末からでは直接消去できないＷｅｂサーバに掲載されている個人肖像画像の記録を消去できるので、無許可で掲載された個人の肖像を、特定のサイトあるいは全体から消去することが可能となり、肖像権の乱用を防ぐという効果がある。これは個人肖像画像消去サービス機能を有するインターネットサービスプロバイダがユーザ端末から依頼を受けた個人肖像画像と同一の画像をインターネット上で検索してその画像を記録するＷｅｂサーバにその記録の消去を実行させるからである。
【図面の簡単な説明】
【図１】本発明の実施の形態が適用されるコンピュータネットワークであるインターネットを用いた情報システムの構成を示す模式的ブロック構成図である。
【図２】本発明の実施の形態のＷｅｂサーバ掲載個人肖像画像消去サービスシステムの個人肖像画像消去サービス可能なインターネットサービスプロバイダの模式的ブロック構成図である。
【図３】本発明の実施の形態の個人肖像画像のＷｅｂサーバ上の掲載消去方法のフローチャートである。
【符号の説明】
１    情報システム
１０    インターネット
１１    ネットワーク
２０    Ｗｅｂサーバ
３０    メールサーバ
４０    その他サーバ
５０    インターネットサービスプロバイダ
５１    個人肖像画像消去サービス可能なインターネットサービスプロバイダ
６０    ユーザ端末
７０    ユーザ携帯端末
７１    ユーザ携帯端末（カメラ付き）
１１０    入力部
１１１    ユーザ入力装置
１２０    データ処理装置
１２１    中央処理部
１２２    消去対象画像受付部
１２３    画像特徴点抽出部
１２４    Ｗｅｂサーバ検索部
１２５    検索画像特徴点抽出部
１２６    両画像特徴点照合部
１２７    画像記録消去依頼発行部
１２８    消去結果受理部
１２９    消去結果連絡部
１３０    接続サービス処理実行部
１４０    記憶部
１４１    Ｗｅｂサーバアドレス格納部
１４２    消去対象画像格納部
１４３    消去対象画像特徴点データ格納部
１４４    記録消去依頼画像データ格納部
１４５    記録消去結果格納部
１５０    接続サービス関連データ格納部
１６０    出力部
１６１    画像表示部
Ａ１〜Ａ５、Ｂ１〜Ｂ１２、Ｃ１〜Ｃ５    ステップ
【図１】
2004326535.tif 000003
【図２】
2004326535.tif 000004
【図３】
2004326535.tif 000005